(57)【要約】【課題】１回ごとの服用量を正しく管理する。【解決手段】容器本体１０と、容器本体１０に取外し不能に装着する蓋部材２０とを設け、容器本体１０は、上部開放の底１１ａ付きの枠体１１と、枠体１１内の収納室１２とを一体成形し、蓋部材２０は、装着枠２２付きの蓋板２１と、薄肉のヒンジ２３ａを介して上方に開くプルタブ２３とを一体成形する。【選択図】図１
2010285199.tif 000002
【特許請求の範囲】
【請求項１】
容器本体と、該容器本体に取外し不能に装着する蓋部材とを備えてなり、前記容器本体は、上部開放の底付きの枠体と、該枠体内の収納室とを一体成形し、前記蓋部材は、前記容器本体の上面を閉じる装着枠付きの蓋板と、薄肉のヒンジを介して前記蓋板の一部を上方に開くプルタブとを一体成形し、前記収納室には、１回の服用分の錠剤を収納し、前記プルタブは、錠剤入りの前記収納室を気密に閉じることを特徴とする携帯用の錠剤容器。
【請求項２】
前記プルタブは、開放時に破断する複数の連結片を介して前記蓋板に連結することを特徴とする請求項１記載の携帯用の錠剤容器。
【請求項３】
前記収納室の底部周縁には、錠剤を中心部にガイドするガイド部を設けることを特徴とする請求項１または請求項２記載の携帯用の錠剤容器。
【請求項４】
前記プルタブの下面には、前記収納室内の錠剤の移動を制限する突出部を設けることを特徴とする請求項１ないし請求項３のいずれか記載の携帯用の錠剤容器。
【請求項５】
請求項１ないし請求項４のいずれか記載の携帯用の錠剤容器の複数組を一体に連接してなる携帯用の錠剤容器。
【発明の詳細な説明】
【技術分野】
【０００１】
この発明は、１回の服用分または複数回の服用分の錠剤（カプセル剤を含む、以下同じ）を収納して持ち歩くことができる使い捨ての携帯用の錠剤容器に関する。
【背景技術】
【０００２】
高齢者を含む慢性病患者は、定期的に服用する内服薬を携帯して持ち歩くことがある。また、このような慢性病用の薬剤のうちには、毎回の服用量が厳密に規定されているものも少なくない。
【０００３】
そこで、毎回の服用分の薬剤を個別に包装して携帯し、服用量を正しく管理することが考えられるが、そのような目的に使用し得る錠剤容器として、小容量の蓋付きの偏平容器が知られている（特許文献１）。この容器は、浅い容器本体と、それに装着する折畳み式の蓋部材とを組み合わせ、蓋部材には、内部の錠剤を１錠ずつ取り出すための小孔と、内部の錠剤の複数錠を取り出したり、錠剤を補充したりするための大孔とが形成され、蓋部材の小孔、大孔は、個別に開閉可能である。
【先行技術文献】
【特許文献】
【０００４】
【特許文献１】特開２００８−１１８７１号公報
【発明の概要】
【発明が解決しようとする課題】
【０００５】
かかる従来技術によるときは、偏平容器は、１回の服用分の錠剤を収納するものでないため、服用量を正しく管理する目的には必ずしも適切でないという問題があった。また、何度も錠剤を補充して長期に亘って使用すると、内部を十分清潔に保つことが難しいという問題もあった。
【０００６】
そこで、この発明の目的は、１回の服用分の錠剤を収納する容器本体と蓋部材とを組み合わせることによって、服用量を厳密に管理する目的に好適に使用することができる上、使い捨てにして内部の清潔性の問題が全くない携帯用の錠剤容器を提供することにある。
【課題を解決するための手段】
【０００７】
かかる目的を達成するためのこの発明の構成は、容器本体と、容器本体に取外し不能に装着する蓋部材とを備えてなり、容器本体は、上部開放の底付きの枠体と、枠体内の収納室とを一体成形し、蓋部材は、容器本体の上面を閉じる装着枠付きの蓋板と、薄肉のヒンジを介して蓋板の一部を上方に開くプルタブとを一体成形し、収納室には、１回の服用分の錠剤を収納し、プルタブは、錠剤入りの収納室を気密に閉じることをその要旨とする。
【０００８】
なお、プルタブは、開放時に破断する複数の連結片を介して蓋板に連結することができる。
【０００９】
また、収納室の底部周縁には、錠剤を中心部にガイドするガイド部を設けてもよく、プルタブの下面には、収納室内の錠剤の移動を制限する突出部を設けてもよい。
【００１０】
さらに、これらの携帯用の錠剤容器の複数組を一体に連接してもよい。
【発明の効果】
【００１１】
かかる発明の構成によるときは、容器本体の収納室には、１回の服用分の錠剤が収納され、蓋部材のプルタブは、錠剤入りの収納室を気密に閉じることができる。そこで、錠剤を服用するときは、プルタブを開けて収納室内の錠剤を取り出して服用することにより、１回の服用ごとの服用量を厳密に正しく管理することができる。また、収納室に錠剤を補充したりせずに全体を使い捨てにすることにより、収納室が不潔になったり、それによって錠剤が汚損したりするおそれがない。なお、容器本体は、たとえば浅い皿状の角形、楕円形、円形などに形成し、蓋部材は、容器本体に一体に組み合わせて装着することにより、携帯に便利なコンパクトな形態に全体をまとめることができる。
【００１２】
プルタブは、開放時に破断する連結片を介して蓋板に連結することにより、一旦開放すると、連結片が破断して開放された証拠を明瞭に残す、いわゆるタンパーエビデンス機能を実現することができる。
【００１３】
収納室の底部周縁に設けるガイド部は、収納室内の錠剤を収納室の中心部にガイドするため、蓋部材を容器本体に装着してプルタブにより錠剤入りの収納室を封止する際に、プルタブと収納室内の錠剤とが機械的に不用意に干渉したり、それにより錠剤を破損させたりするおそれがない。
【００１４】
プルタブの下面に設ける突出部は、収納室内の錠剤の移動を制限し、携帯中の衝撃などにより錠剤が割れたりすることを抑止する。
【００１５】
なお、このような携帯用の錠剤容器の複数組を連接することにより、たとえば複数回に分けて服用する１日分の錠剤を便利に携帯し、しかも１回の服用ごとの服用量を管理することができる。すなわち、１日３回の服用であれば、３組を連接すればよく、１日２回の服用であれば、２組を連接すればよい。
【図面の簡単な説明】
【００１６】
【図１】全体分解斜視図
【図２】使用状態斜視図
【図３】全体構成説明図
【図４】要部断面説明図
【図５】他の実施の形態を示す全体構成説明図
【図６】他の実施の形態を示す図４（Ｂ）相当の要部断面図（１）
【図７】他の実施の形態を示す図４（Ｂ）相当の要部断面図（２）
【図８】他の実施の形態を示す要部構成説明図
【発明を実施するための形態】
【００１７】
以下、図面を以って発明の実施の形態を説明する。
【００１８】
携帯用の錠剤容器は、容器本体１０と、容器本体１０に取外し不能に装着する蓋部材２０とを備えてなる（図１、図２）。
【００１９】
容器本体１０は、上部開放の底１１ａ付きの枠体１１と、枠体１１内の円形の収納室１２とを一体成形して構成されている。容器本体１０は、全体として浅い皿状の角形に形成されており、枠体１１の一辺には、横長の長方形の凹部１１ｂが形成されている。また、凹部１１ｂと対向する他の一辺の上縁には、平板状の舌片１３が外向きに突設され、舌片１３には、丸孔１３ａが形成されている。
【００２０】
枠体１１の各辺の内面には、凹部１１ｂを形成する部分を除いて、内向きの係合リブ１１ｃが連続的に形成されている。また、枠体１１内には、底１１ａ上に収納室１２を形成する円形の周壁１２ａと、周壁１２ａの外側を同心円状に囲む大径の周壁１２ｂとが形成されている。周壁１２ａの内周基部側、すなわち収納室１２の底部周縁には、収納室１２の径方向に配列する三角板状のガイド部１２ｃ、１２ｃ…が等間隔に形成されている。また、外側の周壁１２ｂの一部は、凹部１１ｂの長辺側を形成する直線壁となっている。なお、周壁１２ａ、１２ｂは、凹部１１ｂを形成する長短の直線壁とともに、枠体１１よりやや低い同一高さに形成されている。
【００２１】
蓋部材２０は、装着枠２２付きの蓋板２１と、蓋板２１に形成するプルタブ２３とを一体成形して構成されている。装着枠２２は、容器本体１０の枠体１１に嵌め込むことができるように、枠体１１の凹部１１ｂに対応する部分を除いて蓋板２１の下面の全周に同一高さに垂設されている。また、装着枠２２の外面には、外向きの係合リブ２２ａが連続的に形成されている。プルタブ２３は、薄肉のヒンジ２３ａ、円弧状のギャップ２３ｂ、２３ｂを介して蓋板２１の一部を区切るようにして形成されている。ただし、ギャップ２３ｂ、２３ｂは、容器本体１０側の二重の周壁１２ａ、１２ｂの間の間隙に対応するように円弧状に形成された上、ヒンジ２３ａの反対側のプルタブ２３の先端部の両側に平行に延長されている。
【００２２】
蓋板２１とプルタブ２３との間のギャップ２３ｂ、２３ｂには、それぞれ連結片２４、２４が形成されている（図１、図３（Ａ））。各連結片２４は、蓋板２１側からプルタブ２３側に向う三角錐台形に形成され、プルタブ２３は、複数の連結片２４、２４…を介して蓋板２１に連結されている。そこで、プルタブ２３は、連結片２４、２４…を破断することにより、ヒンジ２３ａを介して蓋板２１の一部を上方に開くことができる（図２）。すなわち、連結片２４、２４…は、プルタブ２３が開放されたことを示すタンパーエビデンス機能を実現することができる。ただし、図３（Ａ）〜（Ｃ）は、それぞれ全体上面図、同図（Ａ）の左側面図、全体下面図である。
【００２３】
プルタブ２３の下面には、容器本体１０の収納室１２用の周壁１２ａに適合するシールリング２３ｃが垂設されている（図２）。シールリング２３ｃは、先端部外周側が全周に亘り斜めに薄肉に切り欠かれている。また、プルタブ２３の下面には、シールリング２３ｃの内側に、低い円形の突出部２３ｄ、２３ｄが同心円状に形成されている。さらに、枠体１１の凹部１１ｂに対応するプルタブ２３の先端部下面には、滑り止め用のリブ２３ｅ、２３ｅが形成されている。
【００２４】
そこで、蓋部材２０は、装着枠２２を枠体１１に嵌め込むようにして容器本体１０に一体に組み合わせて装着することができる（図３、図４）。ただし、このとき、薄肉のヒンジ２３ａは、容器本体１０の舌片１３側に位置させ、舌片１３と反対側のプルタブ２３の先端部を枠体１１の凹部１１ｂ上に庇状に突出させるものとする。ただし、図４（Ａ）、（Ｂ）は、それぞれ図３（Ａ）のＸ1 −Ｘ1 線、Ｘ2 −Ｘ2 線矢視相当拡大断面図であり、図４（Ｃ）は、同図（Ｂ）の要部拡大図である。
【００２５】
蓋部材２０は、装着枠２２を容器本体１０の枠体１１に嵌め込んで前者の係合リブ２２ａを後者の係合リブ１１ｃに弾発的に係合させることにより（図４（Ｃ））、容器本体１０に取外し不能に装着することができる。なお、蓋部材２０のギャップ２３ｂ、２３ｂは、容器本体１０の周壁１２ａ、１２ｂの間の間隙に対応するため（同図（Ｂ））、ギャップ２３ｂ、２３ｂからの外気による汚損範囲は、周壁１２ａ、１２ｂの間に限定され、収納室１２に及ぶことがない。さらに、ギャップ２３ｂ、２３ｂを介して蓋部材２０を容器本体１０から無理に取り外すことも簡単ではない。
【００２６】
かかる携帯用の錠剤容器は、容器本体１０の収納室１２に１回の服用分の錠剤を収納した上、蓋部材２０を装着し、プルタブ２３を介して錠剤入りの収納室１２を気密に閉じることができる（図４）。プルタブ２３の下面のシールリング２３ｃが収納室１２の周壁１２ａに圧入されるからである。なお、このようにして錠剤を収納済みの錠剤容器は、図３のようにコンパクトに形成されており、たとえば舌片１３の丸孔１３ａを利用して図示しないフックに掛けるなどして整理保存し、展示販売することができる。また、収納室１２内の錠剤は、ガイド部１２ｃ、１２ｃ…を介して収納室１２の中心部にガイドされ、蓋部材２０の装着時にプルタブ２３のシールリング２３ｃと干渉するおそれがなく、プルタブ２３の同心円状の突出部２３ｄ、２３ｄを介して収納室１２内の移動を制限することができる。
【００２７】
収納済みの錠剤を服用するときは、ヒンジ２３ａを介してプルタブ２３を上方に開く（図２）。このとき、枠体１１の凹部１１ｂ上に突出しているプルタブ２３の先端部をリブ２３ｅ、２３ｅの箇所に手指を掛けて引き上げることにより、蓋板２１との間に介在する連結片２４、２４…を破断しながらプルタブ２３を開き、収納室１２内の錠剤を取り出すことができる。なお、破断された連結片２４、２４…は、蓋板２１側に残り、明瞭に視認可能である。また、錠剤を取り出した後の錠剤容器は、そのまま廃棄すればよい。
【他の実施の形態】
【００２８】
携帯用の錠剤容器は、たとえば３組を一体に連接してもよい（図５）。ただし、図５（Ｂ）は、同図（Ａ）のＸ3 −Ｘ3 線矢視相当断面図である。
【００２９】
図５において、容器本体１０は、枠体１１内に３個の収納室１２、１２…が横一列に形成されており、蓋部材２０は、枠体１１の全体に共通の横長の蓋板２１に対し、各収納室１２に対応する３枚のプルタブ２３、２３…が形成されている。そこで、各収納室１２ごとに１回の服用分の錠剤を収納し、各プルタブ２３を個別に開いて各収納室１２内の錠剤を順に服用することにより、１日３回服用の用途に便利に使用することができる。
【００３０】
なお、図５の容器本体１０、蓋部材２０は、図１〜図４に倣って、各収納室１２ごとに独立に形成し、たとえば薄肉部を介して切離し可能に一体に連接してもよい。また、これらの形態の連接組数は、２組以上の任意の数に設定することができる。
【００３１】
以上の説明において、容器本体１０の収納室１２用の周壁１２ａは、その外側の大径の周壁１２ｂを省略してもよい（図６）。また、周壁１２ａは、プルタブ２３と蓋板２１との間のギャップ２３ｂ、２３ｂに対応させるとともに（図７）、ギャップ２３ｂの全幅を超える厚さに形成することにより、ギャップ２３ｂ、２３ｂからの外気による内部の汚損を一層少なくすることができる。
【００３２】
なお、プルタブ２３の下面の突出部２３ｄ、２３ｄは、同心円状の円形に形成するに代えて、多数のフレキシブルな突起状に形成してもよい（図８）。ただし、図８（Ａ）、（Ｂ）は、それぞれ蓋部材２０の下面図、図６相当の要部断面図であり、図８（Ｂ）には、収納室１２内の錠剤Ｔ、Ｔが併せて図示されている。また、収納室１２の底部周縁のガイド部１２ｃ、１２ｃ…は、複数枚の三角板状に形成するに代えて、収納室１２の周方向に連続的に形成してもよく、その断面形状も、断面三角形にしてもよく、周壁１２ａの内面から収納室１２の底面にかけて凹状の湾曲面としてもよい。
【産業上の利用可能性】
【００３３】
この発明は、１回の服用分または複数回の服用分の錠剤を各回の服用分ごとに収納室１２に収納して携帯し、各回ごとの錠剤の服用量を正しく管理する目的に広く適用することができる。なお、各回の服用分の錠剤は、１錠以上任意の錠数であってもよく、錠剤のみならず、カプセル剤や、トローチ剤、丸粒剤などであってもよい。
【符号の説明】
【００３４】
Ｔ…錠剤
１０…容器本体
１１…枠体
１１ａ…底
１２…収納室
１２ｃ…ガイド部
２０…蓋部材
２１…蓋板
２２…装着枠
２３…プルタブ
２３ａ…ヒンジ
２３ｄ…突出部
２４…連結片
特許出願人          伸晃化学株式会社
代理人  弁理士        松  田  忠  秋
【図１】
2010285199.tif 000003
【図２】
2010285199.tif 000004
【図３】
2010285199.tif 000005
【図４】
2010285199.tif 000006
【図５】
2010285199.tif 000007
【図６】
2010285199.tif 000008
【図７】
2010285199.tif 000009
【図８】
2010285199.tif 000010